(57)【要約】【課題】別々の方向から飛来するＴＶ電波を１種類の増幅装置でゴースト障害を生じることなく増幅でき、電波環境の異なる複数の地域に対応可能とする。【解決手段】第１の入力端子３１ａにＵＨＦ−ＴＶ信号Ｕ１を入力し、第２の入力端子３１ｂにＵＨＦ−ＴＶ信号Ｕ２を入力する。上記ＵＨＦ−ＴＶ信号Ｕ１は、切換スイッチ３２の切換えにより、ショート回路あるいはゴースト除去用のフィルタ３３を介して取り出し、増幅回路３４を介して混合器３５に入力する。混合器３５は、アッテネータ３７を備え、増幅回路３４で増幅されたＵＨＦ−ＴＶ信号Ｕ１と第２の入力端子３１ｂからアッテネータ３７を介して入力されるＵＨＦ−ＴＶ信号Ｕ２とを混合し、増幅回路３８を介して出力する。アッテネータ３７は、ＵＨＦ−ＴＶ信号Ｕ２のレベル調整用であるが、第２の入力端子３１ｂを使用しない場合には、減衰量を所定の値に切換えて終端器として機能させる。【選択図】      図１
2006087041.tif 000002
【特許請求の範囲】
【請求項１】
第１のＵＨＦ帯ＴＶ信号が入力される第１の入力端子と、第２のＵＨＦ帯ＴＶ信号が入力される第２の入力端子と、前記第１の入力端子の信号経路に設けられるフィルタと、前記フィルタを介して出力される第１のＵＨＦ帯ＴＶ信号を増幅する増幅回路と、前記増幅回路で増幅されたＴＶ信号と前記第２の入力端子からアッテネータを介して入力されるＴＶ信号とを混合する混合器とを具備したことを特徴とするテレビ受信用増幅装置。
【請求項２】
第１のＵＨＦ帯ＴＶ信号あるいは該第１のＵＨＦ帯ＴＶ信号とＶＨＦ帯ＴＶ信号の混合信号が入力される第１の入力端子と、第２のＵＨＦ帯ＴＶ信号あるいは該第２のＵＨＦ帯ＴＶ信号とＶＨＦ帯ＴＶ信号の混合信号が入力される第２の入力端子と、ＶＨＦ帯ＴＶ信号が入力される第３の入力端子と、前記第１の入力端子に入力されるＵＨＦ帯ＴＶ信号とＶＨＦ帯ＴＶ信号とを分波する第１の分波器と、前記第２の入力端子に入力されるＵＨＦ帯ＴＶ信号とＶＨＦ帯ＴＶ信号とを分波する第２の分波器と、前記第１の分波器で分波されるＵＨＦ帯ＴＶ信号の経路に設けられるフィルタと、前記フィルタを介して出力される第１のＵＨＦ帯ＴＶ信号を増幅する第１のＵＨＦ増幅回路と、前記第１のＵＨＦ増幅回路で増幅されたＴＶ信号と前記第２の分波器で分波された第２のＵＨＦ帯ＴＶ信号をアッテネータを介して混合する混合器と、前記混合器で混合されたＴＶ信号を増幅する第２のＵＨＦ増幅回路と、前記第３の入力端子に入力されるＶＨＦ帯ＴＶ信号と前記第１の分波器で分波されるＶＨＦ帯ＴＶ信号と前記第２の分波器で分波されるＶＨＦ帯ＴＶ信号とを切換えて出力するＶＨＦ入力切換スイッチと、前記ＶＨＦ入力切換スイッチで選択されたＶＨＦ帯ＴＶ信号を増幅するＶＨＦ増幅回路と、前記第２のＵＨＦ増幅回路で増幅されたＵＨＦ信号と前記ＶＨＦ増幅回路で増幅されたＶＨＦ帯ＴＶ信号とを混合して出力するＵ／Ｖ混合器とを具備したことを特徴とするテレビ受信用増幅装置。
【発明の詳細な説明】
【技術分野】
【０００１】
本発明は、例えばアンテナにより受信されたテレビジョン信号を増幅するテレビ受信用増幅装置に関する。
【背景技術】
【０００２】
例えば各家庭等において、ＵＨＦ帯及びＶＨＦ帯の地上ＴＶ（テレビジョン）放送をアンテナにより受信する場合、電波の微弱な地域では受信信号を増幅するテレビ受信用増幅装置が一般に用いられている（例えば、特許文献１〜３参照。）。
【０００３】
また、地上ＴＶ放送を受信する場合、各地域によって電波環境が異なり、別々の方向から飛来するＴＶ電波を受信する場合がある。このように別々の方向から飛来するＴＶ電波を受信する場合、通常、複数本例えば２本のアンテナを設置し、その受信信号を混合器等により混合して１本のケーブルで伝送できるようにし、その後、必要に応じてテレビ受信用増幅装置で増幅している。
【０００４】
図４は、別々の方向から飛来するＴＶ電波を受信する場合における従来のテレビ受信用増幅装置の構成を示すブロック図である。図４において、１１ａ、１１ｂはＵＨＦ受信アンテナで、それぞれ異なる方向から飛来するＵＨＦ帯のＴＶ信号Ｕ１、Ｕ２を受信する。また、１２はＶＨＦ帯のＴＶ電波Ｖを受信するＶＨＦ受信アンテナである。上記ＵＨＦ受信アンテナ１１ａ、１１ｂで受信されたＵＨＦ−ＴＶ信号Ｕ１、Ｕ２は、混合器１３で混合されて増幅装置１４の第１の入力端子１５ａに入力される。上記混合器１３としては、２つのフィルタを組み合わせたフィルタ混合器が使用される。
【０００５】
上記第１の入力端子１５ａには、ＵＨＦ−ＴＶ信号Ｕ１、Ｕ２の混合信号のほか、ＵＨＦ−ＴＶ信号ＵとＶＨＦ−ＴＶ信号Ｖの混合信号を入力することができる。また、上記ＶＨＦ受信アンテナ１２で受信されたＶＨＦ−ＴＶ信号Ｖは、増幅装置１４の第２の入力端子１５ｂに入力される。
【０００６】
上記第１の入力端子１５ａに入力されたＵＨＦ−ＴＶ信号Ｕ１、Ｕ２は、分波器１６に入力される。この分波器１６は、第１の入力端子１５ａにＵＨＦ−ＴＶ信号ＵとＶＨＦ−ＴＶ信号Ｖの混合信号が入力された場合に、ＵＨＦ−ＴＶ信号ＵとＶＨＦ−ＴＶ信号Ｖとを分波する。  
第１の入力端子１５ａにＵＨＦ−ＴＶ信号Ｕ１、Ｕ２の混合信号が入力された場合、この混合信号は、分波器１６を介してＵＨＦ増幅回路１７に入力され、増幅された後、Ｕ／Ｖ混合器１８に入力される。
【０００７】
また、上記第２の入力端子１５ｂに入力されたＶＨＦ−ＴＶ信号Ｖは、ＶＨＦ入力切換スイッチ１９を介してＶＨＦ増幅回路２０に入力され、増幅されてＵ／Ｖ混合器１８に入力される。なお、第２の入力端子１５ｂを使用せず、第１の入力端子１５ａにＵＨＦ−ＴＶ信号ＵとＶＨＦ−ＴＶ信号Ｖの混合信号を入力した場合には、分波器１６で分波されるＶＨＦ−ＴＶ信号ＶをＶＨＦ入力切換スイッチ１９により選択してＶＨＦ増幅回路２０に入力する。
【０００８】
上記Ｕ／Ｖ混合器１８は、ＵＨＦ増幅回路１７で増幅されたＵＨＦ−ＴＶ信号Ｕ１、Ｕ２とＶＨＦ増幅回路２０で増幅されたＶＨＦ−ＴＶ信号とを混合し、出力端子２１より出力する。この出力端子２１から出力されるＴＶ信号は、同軸ケーブル（図示せず）により屋内に設置されているＴＶ受像器へ送られる。
【特許文献１】特開２００３−１２５２３１号公報
【特許文献２】特開２００４−２１４９３９号公報
【特許文献３】特開２００４−２３６１３１号公報
【発明の開示】
【発明が解決しようとする課題】
【０００９】
上記従来のテレビ受信用増幅装置は、増幅装置１４の構成が簡単であるが、別々の方向から飛来するＵＨＦ−ＴＶ信号を受信する場合、増幅装置１４の外部に混合器１３が必要になる。また、ＵＨＦ受信アンテナ１１ａ、１１ｂの受信電力が低い場合、混合器１３での混合損失及び増幅装置１４の持つ雑音特性により、雑音が多くなり、画像品質が低下する。
【００１０】
また、ＵＨＦ受信アンテナ１１ａ、１１ｂにおけるＵＨＦ−ＴＶ信号Ｕ１、Ｕ２の受信レベルにかなりのレベル差が生じている場合、混合器１３の他に更に外付けのレベル差補正用のアッテネータが必要になる。  
また、ＵＨＦ受信アンテナ１１ａ、１１ｂの前後比特性により、本来ＵＨＦ受信アンテナ１１ｂでのみ受信したいＵＨＦ−ＴＶ信号Ｕ２がＵＨＦ受信アンテナ１１ａでも受信されてしまう場合、両アンテナ１１ａ、１１ｂで受信されるＵＨＦ−ＴＶ信号Ｕ２は、伝送経路の違いにより少なからず時間差が生じ、この時間差によってゴースト障害が発生する。また、この場合、ＵＨＦ受信アンテナ１１ａが受信するＵＨＦ−ＴＶ信号Ｕ１よりＵＨＦ受信アンテナ１１ｂが受信するＵＨＦ−ＴＶ信号Ｕ２のレベルが高いと、混合器１３を介して増幅装置１４に入力されるＴＶ信号Ｕ２の信号レベルがＴＶ信号Ｕ１に比して高いため、ＵＨＦ増幅回路１７の飽和障害を引き起こす可能性がある。上記ゴースト障害やＵＨＦ増幅回路１７の飽和障害等の対策としては、問題となる信号、この場合にはＵＨＦ受信アンテナ１１ａで受信されるＵＨＦ−ＴＶ信号Ｕ２を外付けのフィルタ等で減衰させる必要がある。
【００１１】
本発明は上記の課題を解決するためになされたもので、別々の方向から飛来するＴＶ電波を１種類の増幅装置でゴースト障害等を生じることなく増幅でき、電波環境の異なる複数の地域に対応することができるテレビ受信用増幅装置を提供することを目的とする。
【課題を解決するための手段】
【００１２】
第１の発明に係るテレビ受信用増幅装置は、第１のＵＨＦ帯ＴＶ信号が入力される第１の入力端子と、第２のＵＨＦ帯ＴＶ信号が入力される第２の入力端子と、前記第１の入力端子の信号経路に設けられるフィルタと、前記フィルタを介して出力される第１のＵＨＦ帯ＴＶ信号を増幅する増幅回路と、前記増幅回路で増幅されたＴＶ信号と前記第２の入力端子からアッテネータを介して入力されるＴＶ信号とを混合する混合器とを具備したことを特徴とする。
【００１３】
第２の発明に係るテレビ受信用増幅装置は、第１のＵＨＦ帯ＴＶ信号あるいは該第１のＵＨＦ帯ＴＶ信号とＶＨＦ帯ＴＶ信号の混合信号が入力される第１の入力端子と、第２のＵＨＦ帯ＴＶ信号あるいは該第２のＵＨＦ帯ＴＶ信号とＶＨＦ帯ＴＶ信号の混合信号が入力される第２の入力端子と、ＶＨＦ帯ＴＶ信号が入力される第３の入力端子と、前記第１の入力端子に入力されるＵＨＦ帯ＴＶ信号とＶＨＦ帯ＴＶ信号とを分波する第１の分波器と、前記第２の入力端子に入力されるＵＨＦ帯ＴＶ信号とＶＨＦ帯ＴＶ信号とを分波する第２の分波器と、前記第１の分波器で分波されるＵＨＦ帯ＴＶ信号の経路に設けられるフィルタと、前記フィルタを介して出力される第１のＵＨＦ帯ＴＶ信号を増幅する第１のＵＨＦ増幅回路と、前記第１のＵＨＦ増幅回路で増幅されたＴＶ信号と前記第２の分波器で分波された第２のＵＨＦ帯ＴＶ信号をアッテネータを介して混合する混合器と、前記混合器で混合されたＴＶ信号を増幅する第２のＵＨＦ増幅回路と、前記第３の入力端子に入力されるＶＨＦ帯ＴＶ信号と前記第１の分波器で分波されるＶＨＦ帯ＴＶ信号と前記第２の分波器で分波されるＶＨＦ帯ＴＶ信号とを切換えて出力するＶＨＦ入力切換スイッチと、前記ＶＨＦ入力切換スイッチで選択されたＶＨＦ帯ＴＶ信号を増幅するＶＨＦ増幅回路と、前記第２のＵＨＦ増幅回路で増幅されたＵＨＦ信号と前記ＶＨＦ増幅回路で増幅されたＶＨＦ帯ＴＶ信号とを混合して出力するＵ／Ｖ混合器とを具備したことを特徴とする。
【発明の効果】
【００１４】
本発明によれば、複数のＴＶ信号入力端子を備えると共に、一方のＵＨＦ帯ＴＶ信号の経路にフィルタを挿入しているので、１種類のテレビ受信用増幅装置で電波環境の異なる複数の地域で使用することができ、ゴースト障害が発生する地域においてもゴースト障害の発生を確実に防止することができる。
【００１５】
また、混合器にアッテネータを設けて第１及び第２のＵＨＦ信号ＴＶ信号を混合することにより、ＵＨＦ帯ＴＶ信号のレベルを調整できると共に、一方の混合入力がない場合には、アッテネータの減衰量を所定の値に設定することにより、終端器の機能を持たせることができる。
【発明を実施するための最良の形態】
【００１６】
以下、図面を参照して本発明の実施形態を説明する。  
（第１実施形態）
図１は、本発明の第１実施形態に係るテレビ受信用増幅装置３０の回路構成図である。このテレビ受信用増幅装置３０は、別々の方向から飛来するＴＶ放送波を受信して増幅するもので、第１の入力端子３１ａ及び第２の入力端子３１ｂを備えている。第１の入力端子３１ａには例えば第１のアンテナ（図示せず）により受信されたＵＨＦ−ＴＶ信号Ｕ１が入力され、第２の入力端子３１ｂには第２のアンテナ（図示せず）により受信されたＵＨＦ−ＴＶ信号Ｕ２が入力される。上記第１及び第２のアンテナは、別々の方向から飛来するＴＶ放送波を受信する。この場合、第１の入力端子３１ａには、信号レベルの低いＴＶ信号を入力し、第２の入力端子３１ｂには信号レベルの高いＴＶ信号を入力する。
【００１７】
上記第１の入力端子３１ａに入力されたＵＨＦ−ＴＶ信号Ｕ１は、切換スイッチ３２に入力される。この切換スイッチ３２は、例えば２回路の接点を備え、一方の回路の入出力接点間はショート回路により短絡接続され、他方の回路の入出力接点間には、ゴースト障害を発生する信号を除去するためのフィルタ３３が固定あるいは着脱可能に設けられる。このフィルタ３３としては、例えばノッチフィルタ（帯域阻止フィルタ）、ローパスフィルタあるいはハイパスフィルタ等が使用地域の電波環境に応じて選択的に使用される。また、フィルタ３３の特性も、使用地域の電波環境に合わせて設定される。
【００１８】
上記切換スイッチ３２によりショート回路あるいはフィルタ３３を介して取り出されるＵＨＦ−ＴＶ信号Ｕ１は、ＵＨＦ帯の増幅回路３４で増幅された後、混合器３５に入力される。この混合器３５は、例えば２分配回路を用いた混合部３６及びアッテネータ３７からなり、混合部３６の一方の入力端子側にアッテネータ３７が設けられる。このアッテネータ３７は、例えばスイッチにより減衰量が「０ｄＢ」、「−１０ｄＢ」、「−２０ｄＢ」の３段階に切換えられるようになっている。そして、上記混合部３６の他方の入力端子に上記増幅回路３４の出力信号が入力され、アッテネータ３７に上記第２の入力端子３１ｂからＵＨＦ−ＴＶ信号Ｕ２が入力される。上記アッテネータ３７は、通常は減衰量を「０ｄＢ」に設定して使用するが、ＵＨＦ−ＴＶ信号Ｕ２のレベルがＵＨＦ−ＴＶ信号Ｕ１に比較してかなり高い場合には「−１０ｄＢ」に切換えてＵＨＦ−ＴＶ信号Ｕ２のレベルを調整する。また、第２の入力端子３１ｂを使用しない場合には、減衰量を「−２０ｄＢ」に切換えて混合部３６の一方の端子を７５Ωで終端する場合と同じ効果を持たせる。
【００１９】
上記混合器３５は、増幅回路３４で増幅されたＵＨＦ−ＴＶ信号Ｕ１とアッテネータ３７を介して入力されるＵＨＦ−ＴＶ信号Ｕ２とを混合し、増幅回路３８を介して出力端子３９より出力する。この出力端子３９からは、混合されたＵＨＦ−ＴＶ信号Ｕ１、Ｕ２が出力され、同軸ケーブルにより屋内に設置されているＴＶ受像機（図示せず）へ送られる。
【００２０】
上記の構成において、第１の入力端子３１ａにＵＨＦ−ＴＶ信号Ｕ１を入力し、第２の入力端子３１ｂにＵＨＦ−ＴＶ信号Ｕ２を入力する場合、第１の入力端子３１ａにゴースト障害を発生するＵＨＦ−ＴＶ信号Ｕ２が混入しない地域においては、切換スイッチ３２をショート回路側に切換える。この結果、第１の入力端子３１ａに入力されたＵＨＦ−ＴＶ信号Ｕ１は、切換スイッチ３２をそのまま通過して増幅回路３４に入力され、増幅された後、混合器３５の混合部３６に入力される。
【００２１】
一方、第２の入力端子３１ｂに入力されたＵＨＦ−ＴＶ信号Ｕ２は、混合器３５へ送られ、アッテネータ３７を介して混合部３６に入力される。この場合、アッテネータ３７の減衰量を切換えることにより、ＵＨＦ−ＴＶ信号Ｕ２のレベルを増幅回路３４で増幅されたＵＨＦ−ＴＶ信号Ｕ１のレベルに揃える。上記混合器３５を通常の混合器として使用する場合には、アッテネータ３７の減衰量を「０ｄＢ」に切換えるが、ＵＨＦ−ＴＶ信号Ｕ２のレベルがＵＨＦ−ＴＶ信号Ｕ１に比較してかなり高い場合には、「−１０ｄＢ」に切換えてＵＨＦ−ＴＶ信号Ｕ２のレベルを調整する。
【００２２】
上記混合器３５は、増幅回路３４で増幅されたＵＨＦ−ＴＶ信号Ｕ１とアッテネータ３７を介して入力されるＵＨＦ−ＴＶ信号Ｕ２とを混合する。上記混合器３５で混合されたＵＨＦ−ＴＶ信号Ｕ１、Ｕ２は、増幅回路３８で増幅された後、出力端子３９より同軸ケーブルを介して屋内に設置されているテレビジョン受像器へ送られる。
【００２３】
また、第１の入力端子３１ａに接続されるアンテナにおいて、本来、第２の入力端子３１ｂ側のアンテナのみで受信したいＵＨＦ−ＴＶ信号Ｕ２が、アンテナの前後比特性により受信されてしまう場合がある。このＴＶ信号をＵ２’とすると、第１の入力端子３１ａにはＵＨＦ−ＴＶ信号Ｕ１＋Ｕ２’が入力される。
【００２４】
このように第１の入力端子３１ａにゴースト障害を発生するＵＨＦ−ＴＶ信号Ｕ２’が混入する地域においては、切換スイッチ３２をフィルタ３３側に切換える。このフィルタ３３は、入力されたＵＨＦ−ＴＶ信号Ｕ１＋Ｕ２’に対し、Ｕ２’を除去してＵ１のみを出力する。上記フィルタ３３から出力されるＵＨＦ−ＴＶ信号Ｕ１は、増幅回路３４で増幅された後、混合器３５へ送られ、アッテネータ３７によりレベル調整されたＵＨＦ−ＴＶ信号Ｕ２と混合され、増幅回路３８を介して出力端子３９へ出力される。
【００２５】
また、第１の入力端子３１ａのみを使用し、第２の入力端子３１ｂ使用しない場合には、混合器３５に設けられているアッテネータ３７の減衰量を「−２０ｄＢ」に切換え、混合部３６の一方の端子を７５Ωで終端する場合と同じ効果を持たせる。
【００２６】
上記第１実施形態によれば、２つの入力端子３１ａ、３１ｂを備えると共に、切換スイッチ３２の切換えによって第１の入力端子３１ａの信号経路にフィルタ３３を挿入できるようにしているので、１種類のテレビ受信用増幅装置３０で電波環境の異なる複数の地域で使用することができ、ゴースト障害が発生する地域においてもゴーストの発生を確実に防止することができる。
【００２７】
また、混合器３５内にアッテネータ３７を設けているので、第２の入力端子３１ｂに入力されるＵＨＦ−ＴＶ信号Ｕ２のレベルを調整できると共に、第２の入力端子３１ｂを使用しない場合において、混合部３６を７５Ωで終端する場合と同じ効果を持たせることができ、７５Ωの終端器を外部接続する必要がない。
【００２８】
（第２実施形態）
次に本発明の第２実施形態について説明する。  
図２は、本発明の第２実施形態に係るテレビ受信用増幅装置３０Ａの回路構成図である。この第２実施形態は、上記第１実施形態に係るテレビ受信用増幅装置３０において、第１の入力端子３１ａ及び第２の入力端子３１ｂと共に、更に第３の入力端子３１ｃを追加して設けたもので、上記第１実施形態と同一部分には同一符号を付して詳細な説明は省略する。
【００２９】
上記第１の入力端子３１ａには、アンテナにより受信されたＵＨＦ−ＴＶ信号Ｕ１、あるいはこのＵＨＦ−ＴＶ信号Ｕ１とＶＨＦ−ＴＶ信号Ｖの混合信号が入力される。第２の入力端子３１ｂには、アンテナにより受信されたＵＨＦ−ＴＶ信号Ｕ２、あるいはこのＵＨＦ−ＴＶ信号Ｕ２とＶＨＦ−ＴＶ信号Ｖの混合信号が入力される。上記ＵＨＦ−ＴＶ信号Ｕ１とＵ２は、別々の方向から飛来するＴＶ放送信号である。なお、第２の入力端子３１ｂには、第１の入力端子３１ａに入力されるＴＶ信号よりレベルの高いＴＶ信号を入力する。そして、第３の入力端子３１ｃには、ＶＨＦアンテナにより受信されたＶＨＦ−ＴＶ信号Ｖが入力される。
【００３０】
上記第１の入力端子３１ａに入力されたＴＶ信号は、Ｕ／Ｖ分波器４１でＵＨＦ−ＴＶ信号Ｕ１とＶＨＦ−ＴＶ信号Ｖに分波される。Ｕ／Ｖ分波器４１で分波されたＵＨＦ−ＴＶ信号Ｕ１は、切換スイッチ３２に入力されてショート回路あるいはフィルタ３３を介して取り出され、増幅回路３４に入力される。また、Ｕ／Ｖ分波器４１で分波されたＴＶ信号Ｖは、ＶＨＦ入力切換スイッチ４３の入力端子ａに入力される。
【００３１】
また、上記第２の入力端子３１ｂに入力されたＴＶ信号は、Ｕ／Ｖ分波器４２で分波ＵＨＦ−ＴＶ信号Ｕ２とＶＨＦ−ＴＶ信号Ｖに分波される。Ｕ／Ｖ分波器４２で分波されたＵＨＦ−ＴＶ信号Ｕ２は、混合器３５のアッテネータ３７を介して混合部３６に入力され、増幅回路３４で増幅されたＵＨＦ−ＴＶ信号Ｕ１と混合されて増幅回路３８に入力される。また、Ｕ／Ｖ分波器４２で分波されたＴＶ信号ＶはＶＨＦ入力切換スイッチ４３の入力端子ｂに入力される。
【００３２】
また、第３の入力端子３１ｃに入力されたＶＨＦ−ＴＶ信号Ｖは、ＶＨＦ入力切換スイッチ４３の入力端子ｃに入力される。  
上記ＶＨＦ入力切換スイッチ４３は、入力端子ａ、ｂ、ｃに入力されたＶＨＦ−ＴＶ信号Ｖを切換端子ｄにより選択してＶＨＦ増幅回路４４に入力する。そして、このＶＨＦ増幅回路４４により増幅されたＶＨＦ−ＴＶ信号Ｖと、上記増幅回路３８で増幅されたＵＨＦ−ＴＶ信号Ｕ１＋Ｕ２がＵ／Ｖ混合器４５に入力されて混合され、出力端子３９より出力される。
【００３３】
上記の構成において、例えばテレビ受信用増幅装置３０Ａの第１の入力端子３１ａにＵＨＦ−ＴＶ信号Ｕ１、第２の入力端子３１ｂにＵＨＦ−ＴＶ信号Ｕ２、第３の入力端子３１ｃにＶＨＦ−ＴＶ信号Ｖに入力する場合には、ＶＨＦ入力切換スイッチ４３の入力端子ｃに入力されるＶＨＦ−ＴＶ信号Ｖを切換端子ｄにより選択する。このＶＨＦ入力切換スイッチ４３により選択されたＶＨＦ−ＴＶ信号Ｖは、ＶＨＦ増幅回路４４で増幅されてＵ／Ｖ混合器４５に入力される。
【００３４】
一方、第１の入力端子３１ａに入力されたＵＨＦ−ＴＶ信号Ｕ１は、Ｕ／Ｖ分波器４１で分波された後、切換スイッチ３２に入力され、ショート回路あるいはフィルタ３３を介して取り出され、増幅回路３４により増幅されて混合器３５に入力される。
【００３５】
また、第２の入力端子３１ｂに入力されたＵＨＦ−ＴＶ信号Ｕ２は、Ｕ／Ｖ分波器４２で分波された後、混合器３５のアッテネータ３７を介して混合部３６に入力され、上記増幅回路３４で増幅されたＵＨＦ−ＴＶ信号Ｕ１と混合される。この混合器３５で混合されたＵＨＦ−ＴＶ信号Ｕ１、Ｕ２は、増幅回路３８で増幅されてＵ／Ｖ混合器４５に入力され、上記ＶＨＦ増幅回路４４で増幅されたＶＨＦ−ＴＶ信号Ｖと混合されて出力端子３９より出力され、同軸ケーブルを介してＴＶ受像機へ送られる。
【００３６】
上記のように第２実施形態では、別々の方向から飛来するＵＨＦ−ＴＶ信号Ｕ１、Ｕ２とＶＨＦ−ＴＶ信号Ｖとを混合して増幅することができる。  
また、上記第２実施形態では、第１の入力端子３１ａにＵＨＦ−ＴＶ信号Ｕ１とＶＨＦ−ＴＶ信号Ｖの混合信号を入力できると共に、第２の入力端子３１ｂにＵＨＦ−ＴＶ信号Ｕ２とＶＨＦ−ＴＶ信号Ｖの混合信号を入力できるようにしているので、ＴＶ入力信号は図３に示すように複数の組合わせが可能である。
【００３７】
図３において、例１は上記したように第１の入力端子３１ａにＵＨＦ−ＴＶ信号Ｕ１、第２の入力端子３１ｂにＵＨＦ−ＴＶ信号Ｕ２、第３の入力端子３１ｃにＶＨＦ−ＴＶ信号Ｖを入力する場合である。
【００３８】
例２は、第１の入力端子３１ａにＵＨＦ−ＴＶ信号Ｕ１、第３の入力端子３１ｃにＶＨＦ−ＴＶ信号Ｖを入力し、第２の入力端子３１ｂを使用しない場合である。この例２では、第２の入力端子３１ｂを使用しないので、混合器３５に設けられているアッテネータ３７の減衰量を「−２０ｄＢ」に設定し、混合部３６を７５Ωで終端する場合と同じ効果を持たせる。
【００３９】
例３は、第１の入力端子３１ａにＵＨＦ−ＴＶ信号Ｕ１とＶＨＦ−ＴＶ信号Ｖの混合信号、第２の入力端子３１ｂにＵＨＦ−ＴＶ信号Ｕ２を入力し、第３の入力端子３１ｃを使用しない場合である。第１の入力端子３１ａにＵＨＦ−ＴＶ信号Ｕ１とＶＨＦ−ＴＶ信号Ｖの混合信号を入力する場合には、ＶＨＦ入力切換スイッチ４３の切換端子ｄを入力端子ａ側切換え、Ｕ／Ｖ分波器４１で分波されるＶＨＦ−ＴＶ信号Ｖを選択する。このＶＨＦ入力切換スイッチ４３で選択されたＶＨＦ−ＴＶ信号Ｖは、ＶＨＦ増幅回路４４で増幅された後、Ｕ／Ｖ混合器４５に入力され、増幅回路３８から出力されるＵＨＦ−ＴＶ信号Ｕ１、Ｕ２と混合されて出力端子３９から出力される。
【００４０】
例４は、第２の入力端子３１ｂにＵＨＦ−ＴＶ信号Ｕ２、第３の入力端子３１ｃにＶＨＦ−ＴＶ信号Ｖを入力し、第１の入力端子３１ａを使用しない場合である。この場合には、第２の入力端子３１ｂに入力されたＵＨＦ−ＴＶ信号Ｕ２が混合器３５及び増幅回路３８を介してＵ／Ｖ混合器４５に入力される。また、第３の入力端子３１ｃに入力されたＶＨＦ−ＴＶ信号Ｖは、ＶＨＦ入力切換スイッチ４３、ＶＨＦ増幅回路４４を介してＵ／Ｖ混合器４５に入力され、上記増幅回路３８で増幅されたＵＨＦ−ＴＶ信号Ｕ２と混合され、出力端子３９から出力される。
【００４１】
例５は、第１の入力端子３１ａにＵＨＦ−ＴＶ信号Ｕ１、第２の入力端子３１ｂにＵＨＦ−ＴＶ信号Ｕ２とＶＨＦ−ＴＶ信号Ｖの混合信号を入力し、第３の入力端子３１ｃを使用しない場合である。第２の入力端子３１ｂにＵＨＦ−ＴＶ信号Ｕ２とＶＨＦ−ＴＶ信号Ｖの混合信号を入力する場合には、ＶＨＦ入力切換スイッチ４３の切換端子ｄを入力端子ｂ側に切換え、Ｕ／Ｖ分波器４２で分波されるＶＨＦ−ＴＶ信号Ｖを選択する。このＶＨＦ入力切換スイッチ４３で選択されたＶＨＦ−ＴＶ信号Ｖは、ＶＨＦ増幅回路４４で増幅された後、Ｕ／Ｖ混合器４５に入力され、増幅回路３８から出力されるＵＨＦ−ＴＶ信号Ｕ１、Ｕ２と混合されて出力端子３９から出力される。
【００４２】
上記のようにテレビ受信用増幅装置３０Ａの入力端子３１ａ〜３１ｃに入力するＴＶ信号は、複数の組合わせが可能である。  
また、第１実施形態と同様にＵＨＦ−ＴＶ信号Ｕ１の信号経路に切換スイッチ３２の切換えによってフィルタ３３を挿入できるようにしているので、第１の入力端子３１ａにゴースト障害を発生するＵＨＦ−ＴＶ信号Ｕ２’が混入する地域で使用する場合においても、フィルタ３３によってゴースト障害の原因となるＵＨＦ−ＴＶ信号Ｕ２’を除去することができる。
【００４３】
更に混合器３５内にアッテネータ３７を設けているので、第２の入力端子３１ｂに入力されるＵＨＦ−ＴＶ信号Ｕ２のレベルを調整できると共に、第２の入力端子３１ｂを使用しない場合に、減衰量を「−２０ｄＢ」に設定することにより、終端器の機能を持たせることができ、第２の入力端子３１ｂに終端器を接続する必要がない。
【００４４】
上記第２実施形態によれば、入力信号の組合わせが種々可能であり、且つ、別々の方向から飛来するＴＶ電波を１種類の増幅装置でゴースト障害等を生じることなく増幅でき、電波環境の異なる複数の地域に対応することができる。
【００４５】
なお、上記各実施形態では、混合器３５内に可変減衰器として固定減衰量切換型のアッテネータ３７を設けた場合について示したが、アッテネータ３７に代えて可変抵抗減衰器を使用しても同様の効果を持たせることができる。また、上記アッテネータ３７は、混合器３５の外部に設けても良い。  
また、上記各実施形態では、第１の入力端子３１ａの信号経路に切換スイッチ３２を設けてショート回路とフィルタ３３とを切換えるようにしたが、上記第１の入力端子３１ａの信号経路にフィルタ３３のみを設けても良い。
【００４６】
また、本発明は、上記実施形態そのままに限定されるものではなく、実施段階ではその要旨を逸脱しない範囲で構成要素を変形して具体化できるものである。
【図面の簡単な説明】
【００４７】
【図１】本発明の第１実施形態に係るテレビ受信用増幅装置の構成図である。
【図２】本発明の第２実施形態に係るテレビ受信用増幅装置の構成図である。
【図３】同実施形態における入力信号の組合わせ例を示す図である。
【図４】従来のテレビ受信用増幅装置の構成図である。
【符号の説明】
【００４８】
３０、３０Ａ…テレビ受信用増幅装置、３１ａ…第１の入力端子、３１ｂ…第２の入力端子、３１ｃ…第３の入力端子、３２…切換スイッチ、３３…フィルタ、３４…増幅回路、３５…混合器、３６…混合部、３７…アッテネータ、３８…増幅回路、３９…出力端子、４１、４２…Ｕ／Ｖ分波器、４３…ＶＨＦ入力切換スイッチ、４４…ＶＨＦ増幅回路、４５…Ｕ／Ｖ混合器。
【図１】
2006087041.tif 000003
【図２】
2006087041.tif 000004
【図３】
2006087041.tif 000005
【図４】
2006087041.tif 000006